(57)【特許請求の範囲】
【請求項１】
平面状に配列されたシンチレータ素子と、
前記シンチレータ素子を覆うように配列され、前記シンチレータ素子から放射された光を受光する複数の光センサと、
前記シンチレータ素子と複数の光センサとの間に跨って配置され、前記シンチレータ素子に光学的に接続されたライトガイドとを具備し、
前記ライトガイドは、異なる厚みを有し、
前記異なる厚みにより、前記複数の光センサのうちの第１の光センサは、前記複数の光センサのうちの第１の光センサ外の他の光センサに比べて、前記シンチレータ素子に近いこと、
を特徴とするガンマ線検出モジュール。
【請求項２】
前記第１の光センサは第１のサイズを有し、
前記第１の光センサに隣接した第２の光センサは、前記第１のサイズより小さい第２のサイズを有し、
前記第１の光センサと第２の光センサとは、前記シンチレータ素子の異なる範囲の部分を覆うこと、
を特徴とする請求項１記載のガンマ線検出モジュール。
【請求項３】
前記第２の光センサは、前記第１の光センサと前記シンチレータ素子の前記平面とに対して斜めの傾斜角で、前記ライトガイド上に配置されること、
を特徴とする請求項２記載のガンマ線検出モジュール。
【請求項４】
前記第１の光センサは第１のサイズを有し、
前記第１の光センサに隣接した第２の光センサは第２のサイズを有し、
前記第１の光センサは、前記第１のサイズと前記第２のサイズとの差に基づいた距離だけ、前記第２の光センサより前記シンチレータ素子の前記平面に近いこと、
を特徴とする請求項１記載のガンマ線検出モジュール。
【請求項５】
前記シンチレータ素子は、光学的に複数に分離されていること、
を特徴とする請求項１記載のガンマ線検出モジュール。
【請求項６】
平面状に配列されたシンチレータ素子と、
前記シンチレータ素子を覆うように配列され、前記シンチレータ素子から放射された光を受光する複数の光センサと、
前記シンチレータ素子と前記複数の光センサとの間に跨って配置され、前記シンチレータ素子に光学的に接続されたライトガイドとを具備し、
前記ライトガイドは、異なる厚みを有し、
前記複数の光センサのうちの第１の光センサは、前記シンチレータ素子の前記平面に関して第１の斜めの傾斜角で、前記ライトガイド上に配置されること、
を特徴とするガンマ線検出モジュール。
【請求項７】
前記第１の光センサは第１のサイズを有し、
前記複数の光センサのうちの第２の光センサは前記第１のサイズより大きい第２のサイズを有し、
前記第１の光センサと前記第２の光センサとは、前記シンチレータ素子に関して異なる範囲の部分を覆うこと、
を特徴とする請求項６記載のガンマ線検出モジュール。
【請求項８】
前記シンチレータ素子は、光学的に複数に分離されていること、
を特徴とする請求項６記載のガンマ線検出モジュール。
【請求項９】
円筒状検出器リングを形成するために互いに隣接して配列された複数の長方形の検出モジュールを具備し、
前記検出モジュールそれぞれは、
平面状に配列されたシンチレータ素子と、
前記シンチレータ素子を覆うように配列され、前記シンチレータ素子から放射された光を受光する複数の光センサと、
前記シンチレータ素子と前記複数の光センサとの間に跨って配置され、前記シンチレータ素子に光学的に接続されたライトガイドとを有し、
前記ライトガイドは、異なる厚みを有し、
前記異なる厚みにより、前記複数の光センサのうちの第１の光センサは、前記複数の光センサのうちの第１の光センサ以外の他の光センサに比べて、前記シンチレータ素子により近いこと、
を特徴とするガンマ線スキャナ・システム。
【発明の詳細な説明】
【技術分野】
【０００１】
本発明の実施形態は、ガンマ線検出モジュールに関する。
【背景技術】
【０００２】
医用イメージングの分野では、陽電子放出コンピュータ断層撮影（Positron Emission Computed Tomography：以下ＰＥＴと呼ぶ）の使用が増えている。ＰＥＴイメージングでは、放射性薬剤が、注入、吸入または食物摂取によって、被検体に導入される。薬剤の物理的特性と生体分子的特性とによって、放射性薬剤は、被検体内の特定の場所に集中する。放射性薬剤の実際の空間分布と、放射性薬剤の蓄積領域の濃度と、薬剤が被検体に投与されてから最終的に排出されるまでの動態とは、臨床的に重要である。投与から排泄までの間に、放射性薬剤に付加された陽電子エミッタ−は、半減期および分岐比などの同位体の物理的特性にしたがって陽電子を放出する。
【０００３】
特定の放射性核種は陽電子を放出する。放出された陽電子が電子と衝突すると、消滅イベントが発生する。そこでは、陽電子と電子とは崩壊する。ほとんどの場合、消滅イベントは、実質的に１８０度異なる方向に伝播する２つのガンマ線（５１１ＫｅＶ）を生じさせる。
【０００４】
２つのガンマ線を検出した位置の間を結ぶレスポンスライン（ｌｉｎｅ−ｏｆ−ｒｅｓｐｏｎｓｅ：以下ＬＯＲと呼ぶ）によって、上記２つのガンマ線の発生の元になった放射性核種の崩壊のおおよその位置を特定することができる。この処理は起こりうる相互作用に関するＬＯＲを識別することができるだけだが、多数のそれらのＬＯＲの蓄積と断層撮影の再構成処理とによって、元の放射性核種の分布を推定することができる。また、２つのシンチレーションの発生位置に加えて、正確な時間調整（数百ピコ秒以内）が利用可能ならば、ガンマ線の飛行時間（ｔｉｍｅ−ｏｆ−ｆｌｉｇｈｔ：以下ＴＯＦと呼ぶ）の計算によって、上記ＬＯＲに沿った消滅イベントの位置まで特定できる。スキャナの時間分解能の限界は、このＬＯＲに沿った消滅イベントの位置決めの正確さを決定する。上記２つのシンチレーションの発生位置の限界により、スキャナの最終的な空間分解能が決まる。しかし、同位体の明確な特性（例えば、陽電子のエネルギー）は、特定の薬剤の空間分解能を向上させる（２つのガンマ線それぞれの線形性と陽電子の方向とにより）。
【０００５】
多数のシンチレーションを収集することで、断層像の再構成に必要な情報が生成される。対応する検出素子で実質的に同時に２つのシンチレーションの発生を検出することにより生成されるＬＯＲにより、撮影やサイノグラムを再構成するための頻度分布が得られる。検出素子の幾何学的属性は、再構成されたサイノグラムもしくは投影像を定義する。シンチレーションの発生が生じるごとに、消滅イベントのカウントが画像に順次加算されていく。
【０００６】
以上のことからデータ収集と画像再構成にとって重要なのは、ＬＯＲである。ＬＯＲは、システムと被検体とを結びつける。なお、消滅イベントの位置に関する情報を取得してもよい。第１に、サンプリングと再構成とによって、システムの再構成または位置付けの処理は、撮像視野全体にわたって空間的に一定ではない。この処理は、撮像視野の中心の方が高く、撮像視野の周囲になるほど徐々に低下する。この挙動を特徴付けるために、一般に、点拡がり関数（Ｐｏｉｎｔ−Ｓｐｒｅａｄ−ｆｕｎｃｔｉｏｎ：以下ＰＳＦと呼ぶ）が使用される。ＰＳＦを再構成過程に組み込むツールが開発されてきた。第２に、飛行時間、または１対の検出に関与する各検出器にガンマ線が到達する時間の間の時間差は、ＬＯＲに沿ってイベントが生じた可能性の高い位置を決定するために用いられることができる。
【０００７】
前述の検出プロセスは、多数の消滅イベントに対して繰り返されなければならない。過去のイメージング事例を解析すると、どのくらい多くのカウント（すなわち、対のイベント）がイメージング作業に必要なのかが決定される。現在の慣例では、典型的な長さ１００ｃｍに対してＦＤＧ（フルオロデオキシグルコース）を用いた検査には数億カウントを蓄積することが必要とされる。このカウント数を蓄積するのに要する時間は、薬剤の投与量とスキャナの感度と計数性能によって決まる。
【０００８】
ＰＥＴイメージング・システムは、対象から放出されるガンマ線を検出するために互いに向かい合って配置された検出器を用いる。一般に、検出器のリングは、各角度から来るガンマ線を検出するために使用される。したがって、ＰＥＴスキャナは、一般に、できるだけ多数のガンマ線の放射を獲得できるように実質的に円筒状であり、当然のことながら等方性を有しなければならない。また、欠落している角度の放射を獲得するために検出器の回転と部分的なリングとの使用もまた可能であるが、これらの取り組みは、スキャナの全体的な感度に関して厳しい結果を有する。平面内に含まれる全てのガンマ線が検出器と相互作用する可能性を有する円筒形状においては、軸方向寸法を長くすることは、放射を獲得するための能力または感度を向上するには効果的である。したがって、全てのガンマ線を検出することができる球体が最良である。当然ながら、人間に応用するためには、球状の設計は、きわめて大きくならざるを得ず、したがってきわめて高価になる。したがって、現実的には、検出器の軸方向範囲が変数である円筒形状が、現在のＰＥＴスキャナの設計の原点である。
【０００９】
ＰＥＴスキャナの全体的な形状が理解されたら、もう１つの課題は、できるだけ多数のシンチレーション素子（シンチレーションを発生させる結晶素子）をガンマ線経路内に配置し、できるだけ多くのガンマ線を光に変換することである。断層撮影の再構成原理によって放射性同位元素の時空間分布を再構成できるようにするために、それぞれ検出されたシンチレーションの発生イベントは、シンチレーションの発生イベントのエネルギー（すなわち、生成された光の量）とシンチレーションの発生イベントの場所とシンチレーションの発生イベントの時間調整とに関して特徴付けられる必要がある。ほとんどの最新のＰＥＴスキャナは、数千個の個別のシンチレーション素子で構成される。これらの素子は、モジュールで配列される。これらの素子は、シンチレーションの発生位置を識別するために使用される。一般に、シンチレーション素子は、約４ｍｍ×４ｍｍの断面積を有する。なお、より小さな寸法や正方形でない断面も可能である。素子の長さまたは深さは、どのくらいガンマ線が獲得されるのかという見込みにより決定され、その範囲は、一般に１０〜３０ｍｍの範囲である。検出器モジュールは、スキャナの主構成要素である。
【００１０】
ＰＥＴイメージングは、シンチレーション素子によってガンマ線を光に変換する感度に依存する。シンチレーション素子内の相互作用の位置と個々のシンチレーションの発生に関して対になっている時間とを決定した後で、消滅プロセスの発生位置を、再現することができる。これらの操作には、きわめて高感度な構成要素（すなわち、検出器と電子回路）を必要とする。また、これらの操作には、高い信号対雑音比も必要とする。高品質な電子回路により、信号対雑音比は、主に、検出プロセスに必然的に含まれる固有のポアソン統計によって決定される。検出される光子が増えると、信号対雑音比が改善され、したがって空間および時間分解能が向上する。検出器の設計と電子回路を改善しても、検出プロセスでの著しい光損失を補償することはできない。（シンチレーション素子内で生成された量に対する）収集された光の総量の比率を基準に設定される。したがって、収集される光の量を最大にするために、光センサをシンチレーション素子にできるだけ近づけさせ、反射や他のエッジ効果を回避させることに注力されている。したがって、このことは、配列を、シンチレーション素子と光センサとの距離が短い大きなアレイ検出器にさせる。
【００１１】
前述のように、ＰＥＴイメージング・システムは、カウンタそのものである。加えて、ＰＥＴイメージング・システムは、シンチレーションの発生の存在を検出し、シンチレーションの発生の位置を識別しなければならない。光が複数の光センサにどのように割り当てられるかを適切に記録することによって、任意の所定の組の光センサの応答に関する消滅イベントの位置を指定することができる。したがって、光は、複数の光センサで受光されなければならない。十分な光センサがわずかな光を検出するための適切な光の受光を達成するために、ライトガイドの厚さまたはシンチレータ素子とセンサとの間の隙間を増加させる必要がある。そのような形状は、光の受光に直接影響を及ぼすが、全体の光の収集にも悪影響を及ぼす。
【００１２】
光センサ（例えば、光電子増倍管）の技術は、この数年間、より高感度でより均一の応答を提供するように発達してきている。飛行時間スキャナ（ｔｉｍｅ−ｏｆ−ｆｌｉｇｈｔ  ｓｃａｎｎｅｒ）に対するピコ秒の要求により、光電子増倍管の設計に対する１つの改良は、湾曲光電陰極の組み込みである。図１は、湾曲光電陰極を有する光電子増倍管の２つの例を示す。湾曲光電陰極は、電子が陰極から第１のダイノードまで進むのにかかる時間を釣り合わせる効果を有する。電子の移動時間は、ガラスの追加長を通る光量子の移動時間より長い。したがって、全体的な結果として、光電陰極上の電子の発生場所に関係なく、すべての電子がダイノードに到達する厳密な時刻が得られる。従来のＰＥＴ検出器は、一般に、１つの組立体にすべて同じサイズの光電子増倍管を利用している。この組立体は、光電子増倍管と規則的なパターン（例えば、正方形または六角形がぎっしり並んで）で配列された平らなシンチレーション素子（以下、シンチレータアレイと呼ぶ）とライトガイドとの組み合わせから成る。
【００１３】
したがって、従来のＰＥＴ検出器は、検出器に対して、平均的な状況と幾何学との最適な組み合わせを求めている。しかし従来のＰＥＴ検出器は、エッジ効果と反射とを含む局所的に変化する光の分布を補償しない。更に、図１に示したＴＯＦ（飛行時間）対応の光電子増倍管の断面形状から、光が側方から来るときに平坦なライトガイドがすべての光電陰極面を適切に使用できないことは明らかにすべきである。
【００１４】
さらに、従来のＰＥＴ検出器の設計は、光センサの均一な配置がシンチレータアレイの均一な配置にのみ適切であるという認識を欠いている。全ての光センサを同条件でしようできる唯一の幾何学的条件は、完全な４π、つまり球である。しかしながら、エッジ、またはモジュール、または他のタイプの非対称の原因（例えば、シンチレータアレイ上の様々なタイプの光センサ）が導入されると、全体の検出プロセスに対する各光センサの寄与は、分析されなければならない。
【発明の概要】
【発明が解決しようとする課題】
【００１５】
目的は、シンチレータで発生された光を効率よく検出することにある。
【課題を解決するための手段】
【００１６】
本実施形態に係るガンマ線検出器モジュールは、平面状に配列されたシンチレータ素子と、前記シンチレータ素子を覆うように配列され、前記シンチレータ素子から放射された光を受光する複数の光センサと、前記シンチレータ素子と前記複数の光センサとの間に跨って配置され、前記シンチレータ素子に光学的に接続されたライトガイドとを具備し、前記ライトガイドは、異なる厚みを有し、前記異なる厚みにより、前記複数の光センサのうちの第１の光センサは、前記複数の光センサのうちの第１の光センサ以外の他の複数の光センサに比べて前記シンチレータ素子に近いこと、を特徴とする。
【図面の簡単な説明】
【００１７】
【図１】異なる湾曲光電陰極を有する２種の光電子増倍管を示す図である。
【図２Ａ】実施形態における複数のガンマ線検出モジュールを有するＰＥＴ検出器リングの一例を示す図である。
【図２Ｂ】実施形態における複数のガンマ線検出モジュールを有するＰＥＴ検出器リングの一例を示す図である。
【図２Ｃ】実施形態において、ライトガイド上に配列された複数の光電子増倍管を有する検出モジュールの一例を示す図である。
【図３Ａ】実施形態において、シンチレータアレイとライトガイドと光電子増倍管との位置関係を示すガンマ線検出モジュールの断面の一例を示す図である。
【図３Ｂ】実施形態において、結晶アレイと厚さの異なるライトガイドと光電子増倍管との位置関係を示すガンマ線検出モジュールの断面の一例を示す図である。
【図４Ａ】実施形態において、シンチレータアレイとライトガイドと光電子増倍管との位置関係を示すガンマ線検出モジュールの断面の一例を示す図である。
【図４Ｂ】実施形態において、シンチレータアレイと厚さの異なるライトガイドと傾斜された光電子増倍管との位置関係を示すガンマ線検出モジュールの断面の一例を示す図である。
【図５】実施形態において、サイズと湾曲とが異なる２種の光電子増倍管を示す図である。
【図６】実施形態において、シンチレータアレイとライトガイドと光電子増倍管との位置関係が異なる２種のガンマ線検出モジュールの断面の一例を示す図である。
【図７】実施形態において、シンチレータアレイとライトガイドと光電子増倍管との位置関係が異なる２種のガンマ線検出モジュールの断面の一例を示す図である。
【図８】実施形態において、ライトガイド上に配置されたサイズの異なる２種の光電子倍増管のうちサイズの小さい光電子倍増管の傾斜方向と、ライトガイド上に配置された１種の光電子倍増管の傾斜方向とを示す図である。
【発明を実施するための形態】
【００１８】
図面を参照するとき、いくつかの図面にわたる同じ参照数字は、同一または対応する部分を示す。図２Ａと図２Ｂは、実施形態によるＰＥＴスキャナを示す。図２Ａと図２Ｂに示されたように、検出器リングは、複数の長方形のガンマ線検出モジュールからなる。例えば、検出器リングは、４０個のガンマ線検出モジュールを具備する。また、スキャナの口径サイズを大きくするために４８個のガンマ線検出モジュールが使用されてもよい。
【００１９】
図２Ｃに示されたように、各ガンマ線検出モジュールは、２次元状に配列された、分離された複数のシンチレーション素子２０１を有する。複数のシンチレーション素子２０１は、ガンマ線を吸収しシンチレーション光子を放出する。放出されたシンチレーション光子は、光電子増倍管（ＰｈｏｔｏＭｕｌｔｉＰｌｉｅｒ以下ＰＭＴと呼ぶ）２０３によって検出される。なお、一般に単光子放出断層撮影（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ：以下ＳＰＥＣＴと呼ぶ）で使用されるような、シンチレーションを発生させる連続的なシンチレーション素子を使用してもよい。ライトガイド２０２は、シンチレーション素子を配列させたシンチレーションアレイと複数のＰＭＴとの間に配置される。図２Ｃに示されたように、検出器モジュールそれぞれは、様々なサイズの多数の光電子増倍管を有する。それぞれの光電子増倍管は、複数のシンチレーション素子２０１をカバーする。それぞれのＰＭＴは、アナログ信号を生成する。生成されたアナログ信号は、シンチレーションが生じるときに急激に増大し、そのすぐ後に指数関数的に減少する。なお、１つの検出用の結晶から放出された光子は、複数のＰＭＴによって検出されてもよい。しかしながら、それぞれのＰＭＴで発生されたアナログ信号に基づいて、消滅イベントに対応する検出用の結晶は特定される。
【００２０】
図２Ｃに示されたガンマ線検出モジュールは細長い。典型的には、長軸は、短軸の３乃至４倍の長さである。この設計は、内側のシンチレーション素子に対する端側のシンチレーション素子の比率を最小にする。さらにこの設計は、十分な計数能力を保証するためにガンマ線検出モジュールの多様性を拡大する。光学的に分離されたとき、シンチレーションアレイ全体を別個に較正されてもよい。なお、ライトガイドの一定でない厚さと傾斜された複数のＰＭＴは、他の寸法を有するガンマ線検出モジュールにも適用可能である。
【００２１】
本実施形態は、光センサ（例えば、光電子倍増管）とシンチレーションアレイとの組み合わせの設計において２つの新しい変数を導入する。第１の変数は、深さである。ＰＭＴ面と光電陰極との間の距離を変化させることにより、ＰＭＴを望む全体的な立体角を変化させることができる。
【００２２】
図３Ａに示したように、注目しているシンチレーション素子から標準的な平面のライトガイド上のＰＭＴ１とＰＭＴ２へ放射された光は、ＰＭＴ２上にきわめて弱い信号を生成する。図３Ｂでは、ＰＭＴ２の位置をライトガイドで下げることによって、ＰＭＴ２の信号を増大させることができる。より適切な立体角と湾曲光電陰極との組み合わせは、ＰＭＴ２により検出される光を増大させる。注目しているシンチレーション素子がＰＭＴ２の下にある場合、状況は逆になり、ＰＭＴ１は、ＰＭＴ２が受け取る光より少ない光を受け取る。
【００２３】
本実施形態に導入された第２の変数は傾斜角である。図４Ａと図４Ｂに示したように、ＰＭＴ１とＰＭＴ２とを傾けることによって、ＰＭＴ１とＰＭＴ２が受け取る信号は、シンチレーションを起こしたシンチレーション素子がシンチレーションアレイの一方の側にあるときと、シンチレーションアレイの反対側にあるときとで、等価にする。したがって、データ分析を行うために全体的によりよい信号セットが提供される。
【００２４】
この例から明らかなように、エッジの存在は、傾斜がＰＭＴによる光の収集に対するより均一な応答を提供するという理由による。例えば、シンチレーション素子がＰＭＴ１の左側および／またはＰＭＴ２の右側から光を放射できるように、同じ２つのＰＭＴがより大きなシンチレーションアレイ上に配置された場合は、ＰＭＴの傾きは不要になる。
【００２５】
光の収集を非対称にする別の条件は、異なるサイズのＰＭＴを使用することである。図５に示したように、直径１インチと直径１．５インチのＰＭＴが使用される場合、注目しているシンチレーション素子が１．５インチのＰＭＴの下にあるときに、１インチのＰＭＴの応答を高めることができる。
【００２６】
図６において、２種類のＰＭＴとその光電陰極の配置とに関してさらに詳細な説明が提供される。検出される光の量を最適化するために、光電陰極の表面全体は、常に露出されていなければならない。したがって、図５に示したように、ＰＭＴ１は、距離ｄ＝Ｄ１−Ｄ２だけシンチレーション素子の平面に近づける必要がある。そうでない場合、ＰＭＴ２は、光源がシンチレーションアレイの右側にあるときに光を遮る。ひとたびＰＭＴ１がシンチレーションアレイからの適切な距離に配置されれば、図６に示したように、ＰＭＴ２を傾けることは、ＰＭＴ１に対する立体角（すなわち、光の総量）を減少させることなく、ＰＭＴ２に対する立体角（すなわち光の総量）を増加させることができる。好ましい実施形態では、Ｄ１は典型的には８．２ｍｍであり、Ｄ２は典型的には５．５ｍｍである。なお、これらの値は、ＰＭＴのサイズにより変化させてもよい。
【００２７】
この概念を使用する様々な実施形態は、以下の形状で試験される。この形状は、ＰＭＴの深さと角度の調整の前後で計算される。シンチレーションアレイの右側に光源がある図６に示した例では、ＰＭＴ１に対する角度は２２度から３１度に増加する。同時にＰＭＴ２に対する角度は６４度から７４度に増加する。シンチレーションアレイの左側に光源がある図７に示した例では、ＰＭＴ１に対する角度は、６８度から８３度に増加する。同時に、ＰＭＴ２に対する角度は、２４度から２８度に増加する。
【００２８】
これらの例では、光電陰極からシンチレーションアレイの平面までの距離と同じシンチレーションアレイの平面に対して光電陰極の表面板がなす角度との組み合わせにより、光電陰極をよりよく利用することができ、信号品質が向上する。
【００２９】
図６と図７に示した傾斜角は、隣接したガンマ線検出モジュール間の角度によって制限される。例えば、好ましい実施形態では、３６〜４０個のガンマ線検出モジュールは、傾斜角の制限が９〜１０度になるように、環状に配列される。なお、代替設計は、他の対応する傾斜角の制限を有する。
【００３０】
図８は、第１の例では、長方形のシンチレーションアレイ上に２つのサイズのＰＭＴが配列された例示的な構成を示す。図に示したように、小さい方のサイズのＰＭＴは、５度傾けられるが、この例では最大１０度まで傾けることができる。さらに、図８に示したように、長方形のシンチレーションアレイの角端にある小さい方のサイズのＰＭＴを対角線方向に傾けることができる。図８に示した第２の例では、ガンマ線検出モジュールは、正方形のシンチレーションアレイ上に配列された同じサイズの４つのＰＭＴを有し、各ＰＭＴは対角線方向に傾けられる。
【００３１】
なお、使用されるＰＭＴの明確な種類、特定のシンチレーション素子の配置、ライトガイドの厚さ、位置決めアルゴリズムなどにより、ＰＭＴの深さと傾斜角とに関して、種々の代替実施形態が可能である。
【００３２】
実施形態は、光センサ（ＰＭＴ）がシンチレーションアレイから受け取る光の総量を最適化するための、２種の変数を提供する。次に、種々のＰＭＴに対する光の分配をよりよく制御するための能力は、構成全体の固有の非対称性（例えば、エッジと、ＰＭＴのサイズまたはタイプの変更）に関するよりよい補正を含む。更に、これらの変数により、湾曲光電陰極をより効率的に使用することができ、これにより全検出光量を最大限活用できる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１２…１２ピン式ＪＥＤＥＣNo.Ｂ１２−４３、２０１…シンチレータ素子、２０２…ライトガイド、２０３…光電子増倍管
【図１】
0005632221.tif 000002
【図２Ａ】
0005632221.tif 000003
【図２Ｂ】
0005632221.tif 000004
【図２Ｃ】
0005632221.tif 000005
【図３Ａ】
0005632221.tif 000006
【図３Ｂ】
0005632221.tif 000007
【図４Ａ】
0005632221.tif 000008
【図４Ｂ】
0005632221.tif 000009
【図５】
0005632221.tif 000010
【図６】
0005632221.tif 000011
【図７】
0005632221.tif 000012
【図８】
0005632221.tif 000013